(57)【要約】【課題】コネクタを介して接続される表示装置に対してアンダースキャンまたはオーバースキャンのいずれに対応した表示を行うのかを自動設定可能な情報処理装置を提供する。【解決手段】表示ドライバ１０３は、表示データの出力タイミングを決定するためにコネクタ１４Ａに接続された表示装置から取得するＥＤＩＤに基づき、表示装置がＨＤＭＩ規格に準拠しているか否かと、ＨＤＭＩ規格に準拠している場合、さらにアンダースキャンをサポートしているか否かとを判定する。そして、表示ドライバ１０３は、ＨＤＭＩ規格に準拠していない場合、この表示装置はＤＶＩモニタであるとしてアンダースキャン対応の表示を行い、一方、ＨＤＭＩ規格に準拠している場合、アンダースキャンがサポートされていればアンダースキャン対応の表示、アンダースキャンが非サポートであればオーバースキャン対応の表示を行う。【選択図】      図２
2008005168.tif 000002
【特許請求の範囲】
【請求項１】
コネクタと、
前記コネクタを介して接続された表示装置がアンダースキャンまたはオーバースキャンのいずれの表示方式に対応しているのかを判定する判定手段と、
前記判定手段による判定結果に基づき、前記表示装置に対する表示データの出力方式をアンダースキャンまたはオーバースキャンのいずれかに設定する設定手段と、
を具備することを特徴とする情報処理装置。
【請求項２】
前記判定手段は、表示データの出力タイミングを決定するために前記表示装置から取得される表示サポート情報に基づき、アンダースキャンまたはオーバースキャンのいずれの表示方式に対応しているのかを判定することを特徴とする請求項１記載の情報処理装置。
【請求項３】
前記判定手段は、アンダースキャンまたはオーバースキャンのいずれの表示方式に対応しているのかを示す情報を前記表示サポート情報中から得られなかった場合、アンダースキャンの表示方式に対応しているものと判定することを特徴とする請求項２記載の情報処理装置。
【請求項４】
前記判定手段および前記設定手段の稼働有無を設定する環境設定手段をさらに具備することを特徴とする請求項１記載の情報処理装置。
【請求項５】
コネクタと、
前記コネクタを介して接続される表示装置がＨＤＭＩ（High-Definition Multimedia Interface）規格に準拠しているか否かを判定する第１の判定手段と、
前記第１の判定手段によりＨＤＭＩ規格に準拠していると判定された場合、前記表示装置がアンダースキャンの表示方式に対応しているか否かを判定する第２の判定手段と、
前記第１の判定手段によりＨＤＭＩ規格に準拠していないと判定された場合および前記第１の判定手段によりＨＤＭＩ規格に準拠していると判定され、かつ、前記第２の判定手段によりアンダースキャンの表示方式に対応していると判定された場合、前記表示装置に対する表示データの出力方式をアンダースキャンに設定し、前記第１の判定手段によりＨＤＭＩ規格に準拠していると判定され、かつ、前記第２の判定手段によりアンダースキャンの表示方式に対応していないと判定された場合、前記表示装置に対する表示データの出力方式をオーバースキャンに設定する設定手段と、
を具備することを特徴とする情報処理装置。
【請求項６】
前記第１の判定手段は、表示データの出力タイミングを決定するために前記表示装置から取得されるＥＤＩＤ（Extended Display Identification Data）中のExtension Flagの値からＣＥＡ  ＥＤＩＤ Timing Extensionのサポート有無を判定し、サポートされていない場合、ＨＤＭＩ規格に準拠していないと判定することを特徴とする請求項１記載の情報処理装置。
【請求項７】
前記第１の判定手段は、Extension flagの値からＣＥＡ  ＥＤＩＤ  Timing Extensionがサポートされていると判定したが、当該ＣＥＡ  ＥＤＩＤ Timing Extensionのデータ列を得られなかった場合、ＨＤＭＩ規格に準拠していないと判定することを特徴とする請求項６記載の情報処理装置。
【請求項８】
前記第２の判定手段は、ＣＥＡ  ＥＤＩＤ Timing Extension中のUnderscan Support Flagの値からアンダースキャンの表示方式に対応しているか否かを判定することを特徴とする請求項７記載の情報処理装置。
【請求項９】
前記第１の判定手段、前記第２の判定手段および前記設定手段の稼働有無を設定する環境設定手段をさらに具備することを特徴とする請求項６記載の情報処理装置。
【請求項１０】
表示装置が外部接続される情報処理装置の表示制御方法であって、
前記表示装置がアンダースキャンまたはオーバースキャンのいずれの表示方式に対応しているのかを判定し、
前記判定結果に基づき、前記表示装置に対する表示データの出力方式をアンダースキャンまたはオーバースキャンのいずれかに設定する、
ことを特徴とする表示制御方法。
【発明の詳細な説明】
【技術分野】
【０００１】
本発明は、例えばＨＤＭＩ（High-Definition Multimedia Interface）規格に準拠した表示装置とＤＶＩ（Digital Visual Interface）規格に準拠した表示装置とが接続され得る表示データ出力用のコネクタを備えた情報処理装置の表示制御技術に関する。
【背景技術】
【０００２】
近年、テレビジョン放送を視聴・録画したり、ＤＶＤ（Digital Versatile Disk）を再生することのできる高度な映像処理機能を備えたパーソナルコンピュータが広く普及し始めている。これに伴い、美しい映像を楽しむために、例えばＬＣＤ（Liquid Crystal Display）を備えたノートブックタイプのパーソナルコンピュータに、高精細の画像を表示可能な表示装置を（ＬＣＤが装備されているにも関わらず）別途接続して使用することも一般的に行われている。
【０００３】
このような画像に対する要求の高まりから、コンピュータ画面はアンダースキャンで表示するが、例えばＤＶＤの再生時には画像をオーバースキャンで表示するよう、コンテンツに応じて表示方式を自動的に切り替える等、より快適な表示を行うための提案がこれまで種々なされている（例えば特許文献１等参照）。
【特許文献１】特開２００５−３４５５２３号公報
【発明の開示】
【発明が解決しようとする課題】
【０００４】
表示装置を接続するためのコネクタには、テレビジョン装置を接続するためのＤ端子やコンピュータ用のモニタを接続するためのＤ−ｓｕｂ１５ｐｉｎ、ＤＶＩ端子などが存在する。従って、これまでは、Ｄ端子を介して接続される表示装置（テレビジョン装置）についてはオーバースキャンに対応した表示を行い、Ｄ−ｓｕｂ１５ｐｉｎやＤＶＩ端子を介して接続される表示装置（コンピュータ用のモニタ）についてはアンダースキャンに対応した表示を行うといった、端子単位での表示制御を実行するのが通常であった。
【０００５】
ところが、ＨＤＭＩ端子搭載テレビジョン装置の登場と、ＨＤＭＩ−ＤＶＩ変換ケーブルおよびＤＶＩ−ＨＤＭＩ変換ケーブルの存在とにより、端子と表示装置との関係が１対１ではなくなった。つまり、ＤＶＩ端子に（ＤＶＩ−ＨＤＭＩ変換ケーブルを介して）ＨＤＭＩ端子搭載テレビジョン装置を接続したり、ＨＤＭＩ端子に（ＨＤＭＩ−ＤＶＩ変換ケーブルを介して）ＤＶＩモニタを接続することも可能となったため、前述のような端子単位での表示制御は適切なものとは言えなくなってしまった。このようなことから、ユーザに意識させることなく、最適な表示制御を自動的に行うための新たな仕組みが強く求められている。
【０００６】
この発明は、このような事情を考慮してなされたものであり、コネクタを介して接続される表示装置に対してアンダースキャンまたはオーバースキャンのいずれに対応した表示を行うのかをユーザに意識させることなく自動的に設定可能とする情報処理装置および表示制御方法を提供することを目的とする。
【課題を解決するための手段】
【０００７】
前述の目的を達成するために、この発明の情報処理装置は、コネクタと、前記コネクタを介して接続される表示装置がアンダースキャンまたはオーバースキャンのいずれの表示方式に対応しているのかを判定する判定手段と、前記判定手段による判定結果に基づき、前記表示装置に対する表示データの出力方式をアンダースキャンまたはオーバースキャンのいずれかに設定する設定手段と、を具備することを特徴とする。
【０００８】
また、この発明の表示制御方法は、表示装置が外部接続される情報処理装置の表示制御方法であって、前記表示装置がアンダースキャンまたはオーバースキャンのいずれの表示方式に対応しているのかを判定し、前記判定結果に基づき、前記表示装置に対する表示データの出力方式をアンダースキャンまたはオーバースキャンのいずれかに設定する、ことを特徴とする。
【発明の効果】
【０００９】
この発明によれば、コネクタを介して接続される表示装置に対してアンダースキャンまたはオーバースキャンのいずれに対応した表示を行うのかをユーザに意識させることなく自動的に設定可能とする情報処理装置および表示制御方法を提供できる。
【発明を実施するための最良の形態】
【００１０】
以下、図面を参照して本発明の実施形態を説明する。
【００１１】
図１は、本発明の一実施形態に係る情報処理装置のシステム構成を示す図である。この情報処理装置は、例えばデスクトップタイプのパーソナルコンピュータ１０として実現されている。
【００１２】
図１に示すように、コンピュータ１０は、ＣＰＵ１１、ノースブリッジ１２、主メモリ１３、グラフィックスコントローラ１４、コネクタ１４Ａ、ビデオＲＡＭ１５、サウスブリッジ１６、ＢＩＯＳ（Basic Input/Output System）−ＲＯＭ１７、磁気ディスク装置（ＨＤＤ）１８、光学ディスク装置（ＯＤＤ）１９、ＴＶ放送チューナ２０、エンベデッドコントローラ／キーボードコントローラ（ＥＣ／ＫＢＣ）２１、キーボード２２、タッチパッド２３およびネットワークコントローラ２４を備えている。
【００１３】
ＣＰＵ１１は、本コンピュータ１０の動作を制御するプロセッサであり、ＨＤＤ１８から主メモリ１３にロードされる、オペレーティングシステムやユーティリティを含む各種アプリケーションプログラムを実行する。各種アプリケーションプログラムの中には、文書を作成したり、表計算を行うためのビジネスソフトウェアのほか、ＴＶ放送チューナ２０によって受信されるテレビジョン放送を視聴・録画したり、ＯＤＤ１９にセットされたＤＶＤ上のコンテンツを再生するためのエンターテインメントソフトウェアなと、様々なものが存在する。また、ＨＤＤ１８から主メモリ１３にロードされてＣＰＵ１１によって実行されるプログラムとして、グラフィックスコントローラ１４を駆動制御するための表示ドライバも存在する。さらに、ＣＰＵ１１は、ＢＩＯＳ−ＲＯＭ１７に格納されたシステムＢＩＯＳも実行する。システムＢＩＯＳは、ハードウェア制御のためのプログラムである。
【００１４】
ノースブリッジ１２は、ＣＰＵ１１のローカルバスとサウスブリッジ１６との間を接続するブリッジデバイスである。ノースブリッジ１２には、主メモリ１３をアクセス制御するメモリコントローラも内蔵されている。
【００１５】
グラフィックスコントローラ１４は、コネクタ１４Ａを介して接続される表示装置を制御する表示コントローラである。ＶＲＡＭ１５は、グラフィックスコントローラ１４が映像データを生成する際の作業エリアとして使用されるメモリデバイスである。
【００１６】
サウスブリッジ１６は、ＬＰＣ（Low Pin Count）バス上の各デバイスとＰＣＩ（Peripheral Component Interconnect）バス上の各デバイスとを制御する。サウスブリッジ１６には、ＨＤＤ１８およびＯＤＤ１９を制御するためのＩＤＥ（Integrated Drive Electronics）コントローラも内蔵されている。ＴＶ放送チューナ２０は、特定チャンネルのテレビジョン信号を受信するための同調モジュールである。
【００１７】
ＥＣ／ＫＢＣ２１は、電力管理のためのエンベデッドコントローラと、キーボード２２およびタッチパッド２３を制御するためのキーボードコントローラとが集積された１チップマイクロコンピュータである。そして、ネットワークコントローラ２４は、例えばIEEE 802.11規格の無線通信を実行したり、あるいは、IEEE 1394規格のシリアルバス通信を実行する通信デバイスである。
【００１８】
図２は、このような構成をもつ本コンピュータ１０の画像表示に関する動作原理を説明するための機能ブロック図である。
【００１９】
各種アプリケーションプログラム１０４からの画像表示要求は、オペレーティングシステム１０１を介して表示ドライバ１０３に通知される。この通知を受けた表示ドライバ１０３は、各種アプリケーションプログラム１０４から受け取った表示データを表示装置に出力すべくグラフィックスコントローラ１４を駆動制御するわけであるが、この時、表示ドライバ１０３は、自身が保持する内部フラグの値に基づいて、この表示データをアンダースキャンまたはオーバースキャンのいずれかに対応した出力方式で出力する。この内部フラグの値を設定するために、システムＢＩＯＳ１０２は、セットアップ部１０２１を有している。セットアップ部１０２１は、本コンピュータ１０のシステム環境をユーザが任意に設定するためのインタフェースを提供するものであり、その設定項目の１つとして、表示装置に対する表示データの出力形式をアンダースキャンまたはオーバースキャンに設定するための項目が設けられている。また、この項目では、アンダースキャンまたはオーバースキャンのいずれかに固定で設定させる選択肢に加えて、いずれかをコンピュータ１０に自動設定させる選択肢も設けられている。この自動設定が選択された場合には、表示ドライバ１０３が、アンダースキャンまたはオーバースキャンのいずれが適切であるかを判定して内部フラグの値を設定し、グラフィックスコントローラ１４を制御する。
【００２０】
ここで、図３および図４を参照して、このアンダースキャンおよびオーバースキャンについて説明する。なお、ここでは、アンダースキャンまたはオーバースキャンとは、表示装置（モニタ）側の表示のことをいうものとする。
【００２１】
いま、図３（Ａ）に示す形状のモニタのブラウン管に、図３（Ｂ）に示すような四角と対角線とからなるデータを表示する場合を想定する。
【００２２】
この場合、アンダースキャンとは、図４（Ａ），（Ｃ）に示すように、モニタのブラウン管の外にはみ出さずに、内側の範囲をスキャンして表示することをいう。通常、パーソナルコンピュータ用のモニタは、アンダースキャンでブラウン管の内側に全てのデータを表示する。そのため、パーソナルコンピュータの画面は、アンダースキャンで表示されることが前提でデザインされている。パーソナルコンピュータの画面とは、例えばオペレーティングシステム１０１のデスクトップ画面等である。
【００２３】
一方、オーバースキャンとは、図４（Ｂ），（Ｄ）に示すように、モニタのブラウン管の周囲を含めた範囲までスキャンして表示することをいう。通常、テレビジョン放送は、オーバースキャンで表示されており、映像はブラウン管の外側にはみ出してしまい周辺部などに見えない部分ができる。
【００２４】
以上を踏まえて、ここでは、アンダースキャン対応の表示とは、図４（Ａ）に示すように、アンダースキャンのモニタにアンダースキャンで表示することをいい、オーバスキャン対応の表示とは、図４（Ｄ）に示すように、オーバースキャンのモニタにパーソナルコンピュータの画面をスキャン範囲より小さく表示することで、アンダースキャンのようにブラウン管の内側へパーソナルコンピュータの画面を表示することをいうものとする。
【００２５】
本コンピュータ１０が備えるコネクタ１４Ａは、ＤＶＩ端子またはＨＤＭＩ端子のいずれかであるものとする。ＤＶＩは、ＤＤＷＧ（Digital Display Working Group）から１９９９年に発表されたデジタルディスプレイ用のインターフェイス規格である。一方、ＨＤＭＩは、２００２年１２月に策定された、主に家庭電化製品やＡＶ機器向けのデジタル映像・音声入出力インターフェース規格である。ＨＤＭＩは、ＤＶＩをベースにさらに発展させた規格であり、１本のケーブルで映像・音声・制御信号を合わせて送受信するので取り回しが容易になっている。また、オプションで制御信号を双方向に伝送させることができ、機器間を中継させることで１台のリモートコントローラから複数のＡＶ機器を制御することもできる。
【００２６】
ところで、コネクタ１４ＡがＤＶＩ端子であった場合でも、ＤＶＩ−ＨＤＭＩ変換ケーブルを使用すればＨＤＭＩモニタを接続でき、また、コネクタ１４ＡがＨＤＭＩであった場合でも、ＨＤＭＩ−ＤＶＩ変換ケーブルを使用すればＤＶＩモニタを接続できる。従って、図５（Ａ）〜（Ｄ）に示すように、４つの接続形態が考えられる。
【００２７】
より具体的には、（Ａ）ＤＶＩ端子−（ＤＶＩケーブル）−ＤＶＩモニタ、（Ｂ）ＨＤＭＩ端子−（ＨＤＭＩケーブル）−ＨＤＭＩ端子搭載テレビジョン装置、（Ｃ）ＨＤＭＩ端子−（ＨＤＭＩ−ＤＶＩ変換テーブル）−ＤＶＩモニタ、（Ｄ）ＤＶＩ端子−（ＤＶＩ−ＨＤＭＩ変換ケーブル）−ＨＤＭＩ端子搭載テレビジョン装置の４つが考えられる。
【００２８】
つまり、図２に示すように、コネクタ１４Ａには、ＨＤＭＩ端子搭載テレビジョン装置（ＨＤＭＩモニタ）３１とＤＶＩモニタ３２とが接続され得ることになる。もし、ＤＶＩモニタ３２であれば、アンダースキャン対応の表示を行うことが好ましく、ＨＤＭＩモニタであれば、アンダースキャンがサポートされていればアンダースキャン対応、アンダースキャンが非サポートであればオーバスキャン対応の表示を行うことが好ましい。
【００２９】
このために、システムＢＩＯＳ１０２のセットアップ部１０２１は、モニタに対する表示データの出力形式をアンダースキャンおよびオーバースキャンのいずれかとするかをユーザが設定できるようになっている。図６は、セットアップ部１０２１が表示するセットアップ画面の一例を示す図である。
【００３０】
図６に示すセットアップ画面上のフィールドｘが、モニタに対する表示データの出力形式を設定するためのフィールドであり、ここで、アンダースキャンおよびオーバースキャンのいずれかを選択できる。また、図示のように”Ａｕｔｏ”を選択すると、そのいずれかをコンピュータ１０に自動設定させることが可能である。換言すれば、当該フィールドｘを”Ａｕｔｏ”以外に設定することで、この自動設定機能をオフすることができる。そして、本コンピュータ１０は、出力端子の種類によってアンダースキャンおよびオーバースキャンのいずれかを固定で設定するのではなく、接続された表示装置側から得られる情報に基づき、アンダースキャンまたはオーバースキャンを自動設定できるようにしたものであり、以下、この点について詳述する。
【００３１】
図７は、表示ドライバ１０３が実行する表示データの出力方式（アンダースキャンまたはオーバースキャン）の自動設定処理の動作手順を示すフローチャートである。
【００３２】
セットアップ部１０２１によるモニタ出力の設定が”Ａｕｔｏ”である場合、表示ドライバ１０３は、ＨＤＭＩ等のデジタルインターフェースを介して表示データを出力するにあたって、まず、相手(出力)先デバイス、つまりモニタから表示サポート情報であるＥＤＩＤ（Extended Display Identification Data）を取得する（ステップＡ１）。これは表示データの出力タイミングを決定するために行うものである。
【００３３】
この最初に取得したＥＤＩＤの中には、そのデバイスが拡張されたＥＤＩＤを持っているかどうかを示す情報（Extension Flag)が含まれている（Offset 7Eh）ので、表示ドライバ１０３は、この拡張されたＥＤＩＤがあるかどうかをExtension Flagの値から判断する（ステップＡ２）。
【００３４】
ＨＤＭＩモニタは、ＣＥＡ  ＥＤＩＤ Timing Extensionという拡張されたＥＤＩＤをサポートしなければならない。つまり、拡張されたＥＤＩＤが無いのであれば（ステップＡ３のＮｏ）、ＨＤＭＩ規格に準拠していないことになる。ＨＤＭＩ規格に準拠していない場合、表示ドライバ１０３は、ＤＶＩモニタであると判定する。
【００３５】
ＤＶＩインタフェースで接続するモニタの多くはＰＣ用のモニタであるため、表示ドライバ１０３は、アンダースキャンに対応した表示を行うこととする。この場合、表示ドライバ１０３は、アンダースキャン対応の表示を行うことを示すように内部フラグをセットし、ＨＤＭＩ又はＤＶＩ端子から出力する表示をアンダースキャンに対応した表示にする（ステップＡ４）。
【００３６】
一方、拡張されたＥＤＩＤが存在するとExtension Flagの値から判断した場合（ステップＡ３のＹｅｓ）、ＣＥＡ  ＥＤＩＤ Timing Extensionは、02h(Tag)で始まるデータ列で２ブロック目以降(ブロック番号１以降)に格納されているので、表示ドライバ１０３は、Tag02hの拡張されたＥＤＩＤを取得できるまで、拡張されたＥＤＩＤのブロックを順次読み出していく（ステップＡ５〜ステップＡ７）。
【００３７】
もし、ＣＥＡ  ＥＤＩＤ Timing Extensionを読み出すことが出来ない場合（ステップＡ６のＮｏ，ステップＡ７のＹｅｓ）、表示ドライバ１０３は、やはりＨＤＭＩ規格に準拠していないと判断し、アンダースキャンに対応した表示を行うように設定を行う（ステップＡ４）。
【００３８】
ＣＥＡ  ＥＤＩＤ Timing Extensionを取得できた場合（ステップＡ６のＹｅｓ）、表示ドライバ１０３は、今度は、Offset03hのBit7に定義されているUnderscan support flagをチェックする（ステップＡ８）。ＣＥＡ  ＥＤＩＤ Timing ExtensionのVersion1では、このbitは未定義（Reserved）であるが、00hを設定するよう義務づけられている。Version1では、アンダースキャンがサポートされているかどうかがわからないため、アンダースキャン非サポートと判断する。設定されているbit7の値は０であるため、Version2以降のアンダースキャン非サポートの場合と同じ値が読める。そのため、本件に関して、特にＣＥＡ  ＥＤＩＤ Timing ExtensionのVersionはチェックしない。
【００３９】
そこで、表示ドライバ１０３は、このＣＥＡ  ＥＤＩＤ Timing Extension(Tag02h)のOffset03hのBit7に定義されているUnderscan support flagが０であるかを判別し（ステップＡ９）、０であれば（ステップＡ９のＹｅｓ）、ＨＤＭＩモニタで、アンダースキャンをサポートしていないので、オーバースキャンに対応した表示を行うこととする。この場合、表示ドライバ１０３は、オーバースキャン対応の表示を行うことを示すように内部フラグをセットし、ＨＤＭＩ又はＤＶＩ端子から出力する表示をオーバースキャンに対応した表示にする（ステップＡ１０）。
【００４０】
また、０でなければ（ステップＡ９のＮｏ）、アンダースキャンをサポートしたＨＤＭＩモニタであるので、表示ドライバ１０３は、アンダースキャン対応の表示を行うことを示すように内部フラグをセットし、ＨＤＭＩ又はＤＶＩ端子から出力する表示をアンダースキャンに対応した表示にする（ステップＡ４）。
【００４１】
そして、表示ドライバ１０３は、ステップＡ４又はステップＡ１０でセットした内部フラグに従い、表示タイミングを生成して出力する（ステップＡ１１）。
【００４２】
つまり、表示ドライバ１０３は、モニタから取得した表示サポート情報に基づき、ＨＤＭＩ規格に準拠しているかどうかを調べ、ＨＤＭＩ規格に準拠していなければ、ＤＶＩモニタであると判断してアンダースキャン対応の表示を行い、ＨＤＭＩ規格に準拠していれば、さらにアンダースキャンがサポートされているかどうかを調べ、サポートされていればアンダースキャン対応の表示、非サポートであればオーバースキャン対応の表示を行うといった自動設定を実現する。
【００４３】
このように、本コンピュータ１０では、コネクタ１４Ａを介して接続されるモニタに対してアンダースキャンまたはオーバースキャンのいずれに対応した表示を行うのかをユーザに意識させることなく自動的に設定することを実現している。
【００４４】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００４５】
【図１】本発明の一実施形態に係る情報処理装置のシステム構成を示す図
【図２】同実施形態の情報処理装置の画像表示に関する動作原理を説明するための機能ブロック図
【図３】アンダースキャンおよびオーバースキャンを説明するための第１の図
【図４】アンダースキャンおよびオーバースキャンを説明するための第２の図
【図５】ＤＶＩ端子およびＨＤＭＩ端子とＤＶＩモニタおよびＨＤＭＩ端子搭載テレビジョン装置との間で考えられる４つの接続形態を示す図
【図６】同実施形態の情報処理装置上で動作するシステムＢＩＯＳのセットアップ部が表示するセットアップ画面の一例を示す図。
【図７】同実施形態の情報処理装置上で動作するシステムＢＩＯＳの表示ドライバが実行する表示データの出力方式（アンダースキャンまたはオーバースキャン）の自動設定処理の動作手順を示すフローチャート
【符号の説明】
【００４６】
１０…パーソナルコンピュータ、１１…ＣＰＵ、１２…ノースブリッジ、１３…主メモリ、１４…グラフィックスコントローラ、１４Ａ…コネクタ、１５…ビデオＲＡＭ、１６…サウスブリッジ、１７…ＢＩＯＳ−ＲＯＭ、１８…磁気ディスク装置、１９…光学ディスク装置、２０…ＴＶ放送チューナ、２１…エンベデッドコントローラ／キーボードコントローラ、２２…キーボード、２３…タッチパッド、２４…ネットワークコントローラ、１０１…オペレーティングシステム、１０２…システムＢＩＯＳ、１０３…表示ドライバ、１０４…各種アプリケーションプログラム、１０２１…セットアップ部。
【図１】
2008005168.tif 000003
【図２】
2008005168.tif 000004
【図３】
2008005168.tif 000005
【図４】
2008005168.tif 000006
【図５】
2008005168.tif 000007
【図６】
2008005168.tif 000008
【図７】
2008005168.tif 000009